(57)【要約】  【課題】  安定した強度を維持しつつ、施工性にも配慮したパイプサポートの斜め受金具を提供する。  【解決手段】  コンクリートスラブ２０上に固定手段で固定し、パイプサポートＳの方形状の台板６を受止するパイプサポートの斜め受金具であって、コンクリートスラブ２０に固定する中央部片１の両側に側部片２，２を相対して立設して構成する。側部片２，２の上縁に、水平状の底縁３ｃを介して前、後縁３ｂ，３ａを相対して構成した係合切欠３を上縁に設け、該係合切欠の前記前縁３ｂの上部に、係合切欠３に傾斜状に係合したときの前記台板６の前端６´に相対する規制縁３ｂ´´を設ける。【選択図】    図４
2010112146.tif 000002
【特許請求の範囲】
【請求項１】
コンクリートスラブ上に固定手段で固定し、パイプサポートの方形状の台板を受止するパイプサポートの斜め受金具において、水平状の底縁を介して前、後縁を相対して構成した係合切欠を備え、該係合切欠の前記前縁の上部に、係合切欠に傾斜状に係合したときの前記台板の前端に相対する規制縁を設けた、パイプサポートの斜め受金具。
【請求項２】
前縁を、底縁側の下縁から上端方向に略垂直状の後縁より次第に離開する傾斜状の下部と、該下部と反対方向に傾斜する、上部側の規制縁とで構成した、請求項１記載のパイプサポートの斜め受金具。
【請求項３】
金属板を屈曲して中央部片と該中央部片の両側に相対して立設した側部片とで成り、側部片に係合切欠を設けた、請求項１又は２記載のパイプサポートの斜め受金具。
【請求項４】
金属板を屈曲して中央部片と該中央部片の両側に相対して側部片を立設し、該側部片の間の、前記中央部片の部分を切り起こして規制部片を立設し、該規制部片と、前記中央部片の後端側を折り返して設けた折り返し片の前記規制部片に相対する前部片および前記側部片で画定する空間部を係合切欠とした、請求項１又は２記載のパイプサポートの斜め受金具。
【請求項５】
金属板を屈曲して中央部片と該中央部片の両側に相対して側部片を立設し、前記中央部片の後端側を折り返して、角形の折り返し部と該折り返し部に前記中央部片上に載せた水平部を介して連設した傾斜部状の先部とで成る折り返し片を設け、該折り返し片の前記折り返し部の前部片と、前記先部および前記側部片で確定する空間部を係合切欠とした、請求項１又は２記載のパイプサポートの斜め受金具。
【発明の詳細な説明】
【技術分野】
【０００１】
本発明は、主に壁型枠の建て入れ調整に使用するパイプサポートの斜め受金具に関するものである。
【背景技術】
【０００２】
コンクリート構造物の壁を構築するに際し、傾斜状に配したパイプサポートの上端側を壁型枠の横端太材に取付け、下端側の方形状の台板をコンクリートスラブ上に取付けた受金具に受止させてパイプサポートを前記壁型枠を支持させるようにしているが、受金具に台板を支持させるには、該受金具の先端（前記壁型枠側）に設けた立上り部片の上端と、前記コンクリートスラブ面との間に前記台板を渡すように配し、パイプサポートからの荷重を受け、壁型枠を支持するようにした構造のものがある（例えば、特許文献１）
【特許文献１】実開平６−１６６０９号公報
【発明の開示】
【発明が解決しようとする課題】
【０００３】
前記従来構造のものは、コンクリートスラブ面と受金具とでパイプサポート側からの荷重を受けるので、誤作業によって、受金具すなわち立上り部片に台板が片当りしたまま施工されると、前記荷重を有効に伝達できないばかりでなく、荷重の大きさによっては立上り部片（受金具）から台板が外れたり、或いは一側に偏した無理な荷重によって破損したりする場合がある。
【０００４】
本発明は、斯様な従来例の欠点を除去し、安定した強度を維持しつつ、施工性にも配慮し、しかも、製造が簡単で、従って、安価なパイプサポートの斜め受金具を提供することを目的として創案したものである。
【課題を解決するための手段】
【０００５】
コンクリートスラブ上に固定手段で固定し、パイプサポートの方形状の台板を受止するパイプサポートの斜め受金具において、水平状の底縁を介して前、後縁を相対して構成した係合切欠を備え、該係合切欠の前記前縁の上部に、係合切欠に傾斜状に係合したときの前記台板の前端に相対する規制縁を設けたことを基本的手段とし、この基本的手段に、前縁を、底縁側の下縁から上端方向に略垂直状の後縁より次第に離開する傾斜状の下部と、該下部と反対方向に傾斜する、上部側の規制縁とで構成した点を付加することにより、パイプサポートとコンクリートスラブとのなす角度が変化しても、常にパイプサポートのほぼ軸線上にサポート受け部の角部が位置した状態で、荷重を受けられることを期待でき、また、単一なアンカーボルトを固定手段とした点を付加することにより、パイプサポートの台板が負荷荷重によって外れようとしても、金物自体があと施工アンカーを中心として、パイプサポートの軸線方向と金物の軸線方向が平行状態になるまで回転するので、確実に台板を受止することができる。
【０００６】
また、前記の手段に金属板を屈曲して中央部片と該中央部片の両側に相対して立設した側部片とで成り、側部片に係合切欠を設けた構成や金属板を屈曲して中央部片と該中央部片の両側に相対して側部片を立設し、該側部片の間の、前記中央部片の部分を切り起こして規制部片を立設し、該規制部片と、前記中央部片の後端側を折り返して設けた折り返し片の前記規制部片に相対する前部片および前記側部片で画定する空間部を係合切欠とした構成或いは金属板を屈曲して中央部片と該中央部片の両側に相対して側部片を立設し、前記中央部片の後端側を折り返して、角形の折り返し部と該折り返し部に前記中央部片上に載せた水平部を介して連設した傾斜部状の先部とで成る折り返し片を設け、該折り返し片の前記折り返し部の前部片と、前記先部および前記側部片で確定する空間部を係合切欠とした構成を付加することにより製造が簡単で、従って、安価な製品を提供することができる。
【発明の効果】
【０００７】
本発明によれば、片当たりに伴うパイプサポートの台板の外れや本金物の破損を防止でき、確実にパイプサポートの荷重を受けることが可能で、施工性を向上させた、パイプサポートの斜め受金具を提供できる。
【実施例】
【０００８】
図面は、本発明に係るパイプサポートの斜め受金具の実施例を示し、図１は第一実施例の正面図、図２は図１の平面図、図３は図１の側面図、図４は第一実施例の使用状態を示す正面図である。また、図５は第二実施例の正面図、図６は図５の平面図、図７は第三実施例の正面図、図８は図７の平面図である。
【０００９】
図中、Ａ，Ａ´，Ａ´´はパイプサポートの斜め受金具で、斜め受金具Ａ，Ａ´，Ａ´´は、図４で示す第一実施例の使用状態図のように、コンクリートスラブ２０に該スラブ２０に固定したあと施工アンカー２１を利用して固定し、壁型枠２２に配した横端太材２３に上端側の受板６Ａを係止したパイプサポートＳの下端の台板６を受止するようにして用いるもので、図示の場合は、パイプサポートＳの反力を保持する、一端を前記横端太材２３に係止した、チェーン２４の他端を係止して用いるようにしてあるが、場合によってはこのチェーン２４の他端に設けたフック２５を係止する透孔８を省略したものであっても不都合はない。すなわち、チェーン２４を省略して傾斜状に配して用いるパイプサポートの受金具であれば本発明を提供するに不都合はない。
【第一実施例】
【００１０】
図１乃至図２で示す、パイプサポートの斜め受金具Ａは、金属板を屈曲して構成し、前後方向に長い中央部片１の後端に偏した両側に、一対の側部片２，２を相対して立設し（側部片２，２の間隔幅はパイプサポートＳの正方形の台板６の横幅より狭く、従って、台板６は側部片２，２に掛渡して後記する係合切欠３に部分的に係合される）、該側部片２の後端側の高さ幅の広い部分２ａに、上端面開口の係合切欠３を設けて、該係合切欠３の前側構成片を規制部片４、後側構成片を受圧部片５とし、これら部片４，５で構成する前記係合切欠３に前記台板６を、その前端６´側から嵌挿するように係合させて受止させるようにすると共に、前記中央部片１の、中間部に前記あと施工アンカー２１の挿通孔７を設け、さらに、前記側部片２を省略した先端部１ａを、上方に折り曲げて前記フック２５を係止する透孔８を設けたものである（折り曲げた先端部１ａに透孔８を設けたのは前記フックを引っ掛け易くするためである）。
【００１１】
前記係合切欠３は、前記受圧部片５で構成するほぼ垂直線状にした後縁３ａと、該後縁３ａに相対し、しかも、上端に至るに従って次第に前記後縁３ａより離開する傾斜状にした前縁下部３ｂ´を略水平状の底縁３ｃを介して互いに連続させ、該前縁下部３ｂ´の上端には該下部３ｂ´と反対方向の傾斜状として前縁上部を構成する規制縁３ｂ´´とで成る凹入形状としたもので、この係合切欠３の後縁３ａ側は前記受圧部片５で、また、前記前縁下部３ｂ´と前縁上部である規制縁３ｂ´´で構成する前縁３ｂ側は該受圧部片５より低い前記規制部片４で構成したものである。
【００１２】
そして、コンクリートスラブ２０上に先端を突設したあと施工アンカー２１のボルト部に挿通孔７を外嵌して該挿通孔７より突出するボルト部先端にナット２６を螺合して本斜め受け金具Ａをコンクリートスラブ２０上に固定し、パイプサポートＳの上端を型枠２２の横端太材２３に係止するようにして下端の台板６を係合切欠３に台板６の前端６´側から嵌挿するようにして係合し、サポートＳに装備した長さ調節機構（図示省略）を操作して台板６を本金具Ａに圧接させるようにして本斜め受け金具Ａを用いるである。
【００１３】
なお、第一実施例は、前記の通り、斜め受け金具Ａを金属板を屈曲成形して一対の側部片２，２をそれぞれ互いに一致するように設け、この側部片２，２に台板６を掛け渡すようにして（従って、側部片２，２間の幅より台板の横幅は広い）、係合切欠３に係合するようにしているが、斜め受金具Ａをブロック体で構成し、係合切欠を単一構造のもの（実施例の側部片２，２それぞれに設けてあるものに対し）で構成しても良い。
【第二実施例】
【００１４】
図５と図６で示す第二実施例の、パイプサポートの斜め受金具Ａ´は、第一実施例の斜め受金具Ａが、係合切欠３を金属板を屈曲して、中央部片１の両側に相対して立設した側部片２の上縁を上端面開口状にして、係合切欠３を、一対の側部片２，２のそれぞれに設け（このため、素材に無駄が生じる）、該係合切欠３，３に台板６を掛け渡すようにし、係合切欠２を単一部材（側部片２のみで）で構成させたものであるに対し、該係合切欠１０３を複数部片で構成したものである。
【００１５】
すなわち、第二実施例の斜め受金具Ａ´は、金属板を屈曲して構成し、前後方向に長い中央部片１０１の中間部の相対する両側に長方形状乃至帯状の側部片１０２，１０２を相対して立設し、前記中央部片１０１の、側部片１０２部から後方に突出する後部を、先端（下端）が前記側部片１０２の上縁より下方に位置するように、角形（実施例は三角形であるが四角形でも良い）に折り返して折り返し片１０５を設け、該折返し片１０５の前部片を受圧部片１０５ａとする一方、前記側部片１０２，１０２を両側に配した中央部片１０１の前記中間部を切り起こして前記受圧部片１０５ａに相対する規制部片１０４を設け、さらに、側部片１０２，１０２を省略した先端部１０１ａを、第一実施例のものと同様に、上方に折り曲げて前記フック２５を係止する透孔１０８を設けたものである。そして、第二実施例の前記係合切欠１０３は、前記規制部片１０４と側部片１０２および受圧部片１０５ａで画定され、投影図として表わすことのできる空間域（投影形状的な）で構成する。
【００１６】
すなわち、係合切欠１０３は、前記受圧部片１０５ａで構成する後方上り傾斜状の後縁１０３ａと、該後縁１０３ａに相対し、しかも、上端に至るに従って次第に前記後縁１０３ａより離開する傾斜状にした、前記規制部片１０４で構成する前縁下部１０３ｂ´を前記側部片２の上縁で構成する水平状の底縁１０３ｃを介して互いに連続させ、前縁下部１０３ｂ´の上端には該下部１０３ｂ´と反対方向の傾斜状として係合切欠１０３の前縁１０３ｂ上部を構成する規制縁１０３ｂ´´とで成る側面視凹入形状で構成したもので、前記の通り、この係合切欠１０３の後縁１０３ａ側は前記受圧部片１０５ａで、また、前記前縁下部１０３ｂ´と前縁上部である規制縁１０３ｂ´´で構成する前縁１０３ｂ側は受圧部片１０５ａより低い前記規制部片１０４で構成したものである。
【００１７】
なお、図示１０７は第一実施例と同様に利用するあと施工アンカーの挿通孔である。
【００１８】
そして、第一実施例と同様にパイプサポートＳの台板６を係合切欠１０３に係合させるようにして用いるのである。
【第三実施例】
【００１９】
図７および図８で示す第三実施例は、第二実施例と同様に係合切欠２０３を複数の部片で構成し、規制部片１０４を第二実施例が中央部片１０１を切り起こして構成してあるに対し、第二実施例と同様に形成した折り返し片２０５の受圧部片２０５ａの先端を、更に延長させて中央部片２０１と重なり合う水平状の仲介部片の先端に第二実施例の規制部片１０４と略同様の規制部片２０４を連設し、受圧部片２０５ａと規制部片２０４および側部片２０２で側面視凹入形状の係合切欠２０３を構成させたものである。
【００２０】
すなわち、第三実施例の斜め受金具Ａ´´は、金属板を屈曲して構成し、前後方向に長い中央部片２０１の中間部の相対する両側に、第二実施例と同様に側部片２０２を相対して立設し、前記中央部片２０１の、側部片２０２部から後方に突出する後端を折り返して、角形（実施例は三角形であるが四角形でも良い）の折り返し部２０５Ａと、該折り返し部２０５Ａに前記中央部片２０１に載せた水平部２０５Ｂを介して連設した傾斜状の先部２０５Ｃとで成る折り返し片２０５を設け、該折り返し片２０５の折り返し部２０５Ａの、実施例では傾斜状の前部片を受圧部片２０５ａとし、折り返し片２０５の先部２０５Ｃで規制部片２０４と成し、さらに、側部片２０２，２０２を省略した先端部２０１ａを、第二実施例のものと同様に、上方に折り曲げて前記フック２５を係止する透孔２０８を設けたものである。そして、第二実施例の前記係合切欠２０３は前記規制部片２０４と側部片２０２および受圧部片２０５ａで画定され、投影図として表わすことのできる空間域で構成する。すなわち、係合切欠２０３は、前記受圧部片２０５ａで構成する後方上り傾斜状の後縁２０３ａと、該後縁２０３ａに相対し、しかも、上端に至るに従って次第に前記後縁２０３ａより離開する傾斜状にした、前記規制部片２０４で構成する前縁下部２０３ｂ´を前記側部片２０２の上縁で構成する水平状の底縁２０３ｃを介して互いに連続させ、前縁下部２０３ｂ´の上端には該下部２０３ｂ´と反対方向の傾斜状として係合切欠２０３の前縁２０３ｂ上部を構成する規制縁２０３ｂ´´とで成る側面視凹入形状で構成したものである。
【００２１】
この第三実施例の斜め受金具Ａ´´は、第二実施例の斜め受金具Ａ´と同様に第一実施例のものと同様に用いられる。
【００２２】
なお、図示２０７は第一実施例と同様の挿通孔である。
【図面の簡単な説明】
【００２３】
【図１】第一実施例の正面図。
【図２】図１の平面図。
【図３】図１の側面図。
【図４】第一実施例の使用状態を示す正面図。
【図５】第二実施例の正面図。
【図６】図５の平面図。
【図７】第三実施例の正面図。
【図８】図７の平面図。
【符号の説明】
【００２４】
１，１０１，２０１            中央部片
２，１０２，２０２            側部片
３，１０３，２０３            係合切欠
３ａ，１０３ａ，２０３ａ      後縁
３ｂ，１０３ｂ，２０３ｂ      前縁
３ｃ，１０３ｃ，２０３ｃ      底縁
６，１０６，２０６            台板
Ｓ                            パイプサポート
【図１】
2010112146.tif 000003
【図２】
2010112146.tif 000004
【図３】
2010112146.tif 000005
【図４】
2010112146.tif 000006
【図５】
2010112146.tif 000007
【図６】
2010112146.tif 000008
【図７】
2010112146.tif 000009
【図８】
2010112146.tif 000010